(57)【要約】【課題】従来のブラインドでは、スラットを上昇させる操作のために引き出した昇降コードが垂れ下がったまま放置されることが多く、人体に絡まり、最悪の場合は、首に昇降コードが絡まった幼児が窒息するなどの事故が多発している。【解決手段】昇降コードが人体に絡まったりすることがないように、昇降コードを筒状の昇降装置に格納した。さらに装置内にプーリーを設け、格納した昇降コードの中間部分を当該プーリーで押し下げると昇降コードが装置内に引き込まれ、スラットを上昇させることができる。昇降装置は、複雑な機構を有していないので、ブラインドを構成する他の部品と一体で製品化するだけでなく、すでに市販されているブラインド製品に後付けで取り付けることも可能であり、安全なブラインドを安価で普及することができる。【選択図】図２
2018009305.tif 000002
【特許請求の範囲】
【請求項１】
横型ブラインドのスラットを昇降させる装置において、スラットに接続された昇降操作に必要なコード（以下、「昇降コード」という）を筒状の容器に格納するとともに、格納した昇降コードの中間部分をプーリー（以下、「昇降プーリー」という）で押し下げることによって昇降コードが装置内に引き込まれ、スラットが上昇できるようにした昇降装置。
【請求項２】
請求項１記載の装置において、昇降プーリーの後段に、方向変換用プーリーおよび前述の昇降プーリーと同様のプーリー（以下、「昇降プーリー２」という）を加えた装置であって、昇降コードを昇降プーリーおよび昇降プーリー２で押し下げることによって、請求項１記載の装置よりもスラットの昇降距離を増加させるようにした装置。
【請求項３】
請求項１および２に記載する装置において、プーリーに替えて円筒状の自由に回転する部品を用いることにより同様の動作をするようにした装置。
【発明の詳細な説明】
【技術分野】
【０００１】
本発明は、横型ブラインドのスラットを昇降させる装置に関するものである。
【背景技術】
【０００２】
一般的な横型ブラインドは、図１に示すように、スラットの下端部に連結させたコード（以下「昇降コード」という）の操作によりスラットを昇降させている。
【０００３】
この昇降コードは、ブラインドのヘッドボックス内を通り、どちらかの端から外部に露出している。
【０００４】
この昇降コードの端部を引くことによりスラットが上昇し、ヘッドボックスに設けられたロック機構により昇降コードがロックされ、スラットが任意の高さで固定されるようになっている。このロック機構を解除すれば、スラットは自重で降下するようになっている。
【０００５】
スラットを上昇させるために引かれた昇降コードは、ヘッドボックスから垂れ下がった状態となり、また、この昇降コードは２本で構成される場合が多く、その端部は結ぶか、又は接続器具により束ねられている。
【０００６】
前述の操作の結果として垂れ下がった昇降コードは、ループ状になるため、そのままの状態に放置すると、人体に絡まり、最悪の場合は、首に昇降コードが絡まった幼児が窒息する等の事故が多発している。
【０００７】
前述の事故防止対策として、昇降コードの引き出した部分を束ねておくことを目的としたクリップ等の付属器具が設けられている場合があるが、スラットの昇降操作以外に、こうした束ねる操作が加わるのは、ブラインドの操作全体を煩雑なものにしてしまっている。
【発明の概要】
【発明が解決しようとする課題】
【０００８】
以上に述べた従来のブラインドでは、昇降コードの引き出し部分を束ねておく操作が面倒なことから、束ねることなく放置される場合が多く、その結果として、昇降コードによる事故は減少していない。
【０００９】
本発明は、このような昇降コードによる事故を無くし、安全なブラインドを提供することを目的とするものである。
【課題を解決するための手段】
【００１０】
本発明は、上記目標を達成するために、昇降コードを露出しないように筒状の昇降装置内に格納するものである。
【００１１】
昇降装置内に格納された昇降コードの端部は昇降装置の上端に固定する。さらに装置内にプーリー（以下「昇降プーリー」という）を設け、格納した昇降コードの中間部分を昇降プーリーで押し下げると昇降コードが装置内に引き込まれ、スラットを上昇させることができる。
【００１２】
昇降プーリーを押し下げた距離の２倍に相当する昇降コードが昇降装置内に引き込まれるので、昇降プーリーの最大操作量は、スラットを昇降させようとする最大距離の２分の１で済むことになり、コンパクトな昇降装置を実現することができる。
【００１３】
スラットを任意の高さで固定する方法は、背景技術で説明したような従来通りのロック機構が活用できる。
【発明の効果】
【００１４】
前述したように本発明の昇降装置は、昇降コードの露出がないので、安全なブラインドを提供することができる。
【００１５】
本発明に係る昇降装置は、複雑な機構を有していないので、コンパクトに成型できる。このことから、ブラインドを構成する他の部品と一体で製品化するだけでなく、すでに市販されているブラインド製品に後付けで取り付けることも可能であり、安全なブラインドを安価で普及することができる。
【図面の簡単な説明】
【００１６】
【図１】一般的な横型ブラインドのスラット昇降機構を示した図。
【図２】一般的な横型ブラインドに本発明に係る昇降装置を取り付けた状況を示した図。
【図３】昇降装置内の、昇降コードや昇降プーリーの配置状況を示した図。
【図４】昇降プーリーを２段化し、スラットの昇降量を増加させるようにした形態を示した図。
【発明を実施するための形態】
【００１７】
以下、本発明の実施の形態を図２〜図４に基づいて説明する。
【００１８】
図２に示すように、スラットに連結した昇降コードは、ヘッドボックス内のプーリーを介してヘッドボックス外に引き出され、続いて昇降装置内に格納される。
【００１９】
図２および図３に示すように、昇降装置内に格納された昇降コードは、昇降プーリーにより方向が反転し、その端部は昇降装置の上端部に固定される。
【００２０】
昇降装置には、スリットを設け、当該部分から昇降プーリーの軸を外部に露出させ、軸の先端部に操作ツマミを接続する。
【００２１】
操作ツマミを押し下げることにより、昇降プーリーが降下し、昇降コードが装置内に引き込まれ、スラットを上昇させることができる。
【００２２】
次に昇降プーリーを２段化して実施する形態について説明する。図４に示すように、昇降プーリーの次に方向変換用のプーリーを昇降装置に固定し、さらに昇降プーリーと同様のプーリー（以下「昇降プーリー２」という）を設け、昇降コードはこれらの部品を経由して、昇降装置の上端部に固定される。
【００２３】
昇降プーリーおよび昇降プーリー２の軸の先端部に操作ツマミを接続する。この操作ツマミを押し下げることにより、スラットを上昇させることができる。
【００２４】
昇降プーリーが１段の場合と比較すると昇降プーリーと昇降プーリー２を合わせた昇降量が倍になるので、昇降装置の長さを増加させることなくスラットの昇降量を倍にすることができる。
【００２５】
前述の実施形態において、プーリーに替えて円筒状の自由に回転する部品（一般的には「ドラム」や「ローラー」等の名称で呼ばれていることが多い）を用いることでも、同様の機能が発揮できる。
【符号の説明】
【００２６】
１    昇降装置
２    昇降コード
３    昇降プーリー
４    操作ツマミ
５    スリット
６    昇降コード端部の固定
７    スラット
８    ヘッドボックス
９    昇降プーリー２
１０    方向変換用プーリー
１１    ロック機構
【図１】
2018009305.tif 000003
【図２】
2018009305.tif 000004
【図３】
2018009305.tif 000005
【図４】
2018009305.tif 000006